(57)【要約】【課題】  鞘を開かなくても折り畳むことのできる鞘連結扇子の連結構造を提供する。【解決手段】  扇ぎ葉の下部へ基部線を介して舌片を延設し、該基部線を袋折して上へ折り返された該舌片を枠穴へ差し込んで該扇ぎ葉と鞘とを連結し、該枠穴の枠軸縁の上端から横方向へ切り込んで穴天縁を設け、該穴天縁と該基部線とが線状で略接した状態で該扇ぎ葉が鞘上部で連結される。扇ぎ葉を二本の葉畳線によって三つの室を横方向へ区分し、該室を一方から基室、反転室、動室とし、該基室の下辺を基部線とする。鞘は一方向へ巻かれた平筒状を成し、該鞘は、枠穴を設けた芯板を芯にして、該芯板の一方の辺である芯板側線を袋折して背板を延設し、該背板の一方の辺である他方の鞘線を袋折して前板を延設し、該前板の一方の辺を一方の鞘線とし、該芯板側線と該一方の鞘線とを連結することで該鞘を平筒状の鞘構造にする。【選択図】  図１
2017108955.tif 000002
【特許請求の範囲】
【請求項１】
扇ぎ葉と鞘を設け、該扇ぎ葉の下端部に舌片を設け、該鞘に該舌片を挿入するための枠穴を設け、該枠穴は少なくても上下方向へ切り込まれた枠軸縁で構成され、該枠軸縁の範囲内で該舌片が上下方向へ滑り移動することで該扇ぎ葉が上下方向へ移動できる連結構造にしたことを特徴とする鞘連結扇子の連結構造。
【請求項２】
扇ぎ葉の下部へ基部線を介して舌片を延設し、該基部線を袋折して折り返された該舌片を枠穴へ差し込んで該扇ぎ葉と鞘とを連結し、該枠穴の枠軸縁の上端から横方向へ切り込んで穴天縁を設け、該穴天縁と該基部線とが線状で略接した状態で該扇ぎ葉が鞘上部で連結されることを特徴とする請求項１記載の鞘連結扇子の連結構造。
【請求項３】
扇ぎ葉に少なくても二本の葉畳線を入れ、該二本の葉畳線によって三つの室を略横方向へ区分し、該室を一方から基室、反転室、動室とし、該基室の下辺を基部線としたことを特徴とする請求項１または請求項２記載の鞘連結扇子の連結構造。
【請求項４】
鞘は一方向へ巻かれた平筒状の鞘構造を成し、該鞘構造の構成は、枠穴を設けた芯板を芯にして、該芯板の一方の辺である芯板側線を袋折して背板を延設し、該背板の一方の辺である他方の鞘線を袋折して前板を延設し、該前板の一方の辺を一方の鞘線とし、該芯板側線と該一方の鞘線とを連結することで該鞘を平筒状の鞘構造にしたことを特徴とする請求項１または請求項２記載の鞘連結扇子の連結構造。
【発明の詳細な説明】
【技術分野】
【０００１】
本発明は、鞘付の紙扇子で、その鞘の連結構造に関する物である。
【背景技術】
【０００２】
従来の鞘付の紙扇子は、文献１では扇ぎ葉下部中央に切り込まれた縦溝の要溝に鞘上部の要片を差し込んで、該扇ぎ葉と該鞘とを連結する構造の物であった。文献２と３では扇ぎ葉の下部中央を垂直に引き伸ばした柄板の下端へ基部折線を介して逆さま状態の鞘部を延設して連結する構造で、該基部折線を袋折して上へ折り返された鞘部で扇ぎ葉を巻いて組み立てる構造の物であった。
【先行技術文献】
【特許文献】
【０００３】
【特許文献１】特開平１１−３１８５３１号
【特許文献２】特許第５６６７２３７号
【特許文献３】特許第５８３０７７３号
【発明の概要】
【発明が解決しようとする課題】
【０００４】
従来の技術である特開平１１−３１８５３１号は、扇ぎ葉を開閉する度に要溝へ差し込まれて固定される要片を抜いたり、差し込んだりする必要があり、該要片の抜き差しを行うために、鞘を閉じたり開いたりする必要がある、という問題点があった。特許第５６６７２３７号は、柄板の下端に段折線と基部折線介して鞘部を延設した構造なので、扇ぎ葉の開閉の度に鞘も開閉する手間を省くことはできるが、力を入れて扇ぎ葉を引き出すと、段折線又は基部折線が切断されるという問題点があった。特許第５８３０７７３号は、図６で扇ぎ葉中央の軸室を下へ引き伸ばして形成した軸板の下端辺へ軸板線と称する基部折線を介して鞘具を延設した形状であるが、力を入れて該扇ぎ葉を引き出すと該基部折線が切断されるという問題点があった。本発明では前記のような問題の解決を課題にする。
【課題を解決するための手段】
【０００５】
扇ぎ葉と鞘を設け、該扇ぎ葉に少なくても二本の葉畳線を入れ、該二本の葉畳線によって略横方向へ三区分し、該三区分された室を一方から基室、反転室、動室とし、該葉畳線は下部に位置する支点から発する放射線にし、該支点の略横或いは近くへ基部線を折線で設け、該基部線を介する下へ舌片を延設する。
該鞘は芯板を芯にして一方向へ巻かれて平筒状の鞘形状を成す構造にして設けられ、該芯板の略軸線上の辺りを切り離して枠軸縁を形成し、該枠軸縁の上端から一方の略横方向である芯板側線へ向けて切り離して穴天縁を形成し、該軸縁の下端から一方の略横方向である芯板側線へ向けて略水平に切り離して、その切り離された一方の端と該穴天縁の一方の端とを繋ぐ線を切り離して切り抜かれた略四つ角を有する穴を枠穴とする。該枠穴へ扇ぎ葉下部の基部線を袋折して上へ折り返された舌片を差し込んで扇ぎ葉と鞘を連結する。
該枠穴の形成された芯板は展開状態で他方の端に位置しており、該芯板の一方の辺に芯板側線を介して背板を延設し、該背板の一方の辺である他方の鞘線を介して前板を延設し、該前板の一方の辺である一方の鞘線を介して延長板を延設し、該延長板の一方の辺に差込折線を介して差込片を延設する。
他方の端に位置する該芯板を芯にして、一方の辺に延設されている各々の板面である背板、前板、延長板を順次左奥へ山折し、該延長板の一方の辺に延設された差込片を背板の略中央に切り込まれた差込溝へ差し込んで、巻かれた状態の鞘を固定する。
【発明の効果】
【０００６】
基部線を袋折して折り上げられた舌片を枠穴へ差し込んで扇ぎ葉と鞘を連結したことで、該基部線は該枠穴の範囲内で、特に上下へ自由に移動できるので、該扇ぎ葉は上下へ移動可能となり、舌片が枠穴の縁に引っ掛っているので扇ぎ葉が抜けるのを防止している。袋折された基部線が穴天縁を挟み込んだ状態で固定できるので、扇ぎ葉が開いた状態で鞘から抜け出るのを防止しており、扇ぎ使用で揺らす場合は基部線に負荷が掛かるが、穴天縁と線で接しているので負荷範囲を分散できる。一方の葉畳線を谷折して他方の葉畳線を山折することで反転室が反転するので、扇ぎ葉はＺ状に折り畳むことができ、平たく巻かれた状態で鞘が形成されているので、鞘の中空を利用して反転室の反転を可能にし、折り畳まれて閉じた状態の扇ぎ葉を下へ移動させると舌片も同じ方向へ移動するので、鞘の中へ折り畳まれた扇ぎ葉を収納することができる。
【図面の簡単な説明】
【０００７】
【図１】展開状態の正面図である。（実施例１）
【図２】扇ぎ葉開き状態鞘連結の正面斜視図である。
【図３】扇ぎ葉閉じ状態鞘連結の正面斜視図である。
【図４】扇ぎ葉閉じ状態鞘連結芯板側線袋折の正面斜視図である。
【図５】扇ぎ葉閉じ状態鞘連結の要部透視正面斜視図である。
【図６】扇ぎ葉開き状態鞘連結の要部透視正面斜視図である。
【図７】展開状態の正面図である。（実施例２）
【図８】展開状態の正面図である。（実施例３）
【図９】展開状態の正面図である。（実施例４）
【発明を実施するための形態】
【０００８】
鞘と連結したままの状態で扇ぎ葉を折り畳み、鞘へ収納できる鞘連結扇子の連結構造を実現した。
【実施例１】
【０００９】
図１は展開状態の正面図である。折線は一点鎖線で示し、縁及び切線は一本の実線で示し、引き出し（指示）線は細い曲線で示す。山折と谷折で表示する折り曲げ方向は展開図での図示状態での正面方向からを基準にする。左右方向を横とし、天地方向を縦とし、正面背面方向を前後とする。符号は数字で表示するが、同じ符号が複数ある場合は符号の後ろに一方をａ、他方をｂとする補助符号を表示することにし、該補助符号を表示しない場合は一方と他方の総称（双方を指示）とし、一方と他方の位置関係は限定ではないが、展開図の図面上での左を一方とし右を他方とする。本発明を形成する素材は限定ではなく、プラスチックであっても良いが、適宜に腰のある厚紙であることが望ましく、前記厚紙の硬さは楽に折り曲げられて適宜に湾曲して扇ぎ使用に耐えられる硬さであれば良く、具体的に述べるならば、官製ハガキよりも硬ければ目的を果たせる。
【００１０】
本体１は、扇ぎ葉２と鞘３とを分離した状態で設け、該扇ぎ葉２を該鞘３で巻く構造で双方は連結されるのであり、該鞘３で巻いただけでは該扇ぎ葉２は抜けて離れてしまうので、連結を維持できる具体的な構造を、以下に述べる。
【００１１】
扇ぎ葉２の形状は限定ではなく、丸形、ハート形、花形、動物の顔形など、自由にデザイン化された形状であっても良いが、具体的に説明する目的から、扇形で図示することにし、扇形の両横角が角張って図示されているのは、角の位置を明確に示すのが目的であり、実際に製品化する場合には、角の丸い扇形にすることが望ましい。
【００１２】
扇ぎ葉２は葉畳線４によって折り畳める構造にすることが望ましく、該葉畳線４の本数は限定ではなく、一本であっても多数本であっても良いが、二本の葉畳線４を設けることが望ましい。該二本の葉畳線４によって、横方向へ三つの室に区分し、該室を一方から順に述べるならば、基室５の他方の側辺へ一方の葉畳線４ａを介して反転室６を延設し、該反転室６の他方の側辺へ他方の葉畳線４ｂを介して動室７を延設する。
【００１３】
葉畳線４どうしの角度は限定ではなく、平行線であっても良いが、扇ぎ葉２下部の支点８から発する放射線形状の折線であることが望ましい。該葉畳線４の折り曲げ方向は限定ではなく、双方共に同じ方向への折り曲げであっても良いが、互いに異なる方向への折り曲げであることが望ましい。
【００１４】
具体的な折り曲げ方向を述べるならば、一方の葉畳線４ａを谷折し、他方の葉畳線４ｂを山折することで反転室６だけが反転し、扇ぎ葉２は（真上から見た状態で）右へ回転してＺ形状に折り畳まれて閉じ状態になる。
【００１５】
扇ぎ葉２の下端部に鞘３と連結するための舌片９を設ける。該舌片９は折り返されなくても良いが、該扇ぎ葉２の下端部から基部線１０を介して該舌片９を延設することが望ましく、該基部線１０の他方端は支点８と接しても良いし、適宜に離れた位置であっても良い。該基部線１０は折線であることから直線であることが望ましく、水平であっても良いし、適宜な斜め線であっても良いが、水平な基部線１０は後述の実施例２で図示することにして、本実施例１では斜め線の基部線１０で図示する。斜め線にする場合は、該基部線１０の一方である左が下となる斜め線であることが望ましい。
【００１６】
舌片９は鞘３の芯板１１に開けられた枠穴１２へ挿入して滑り可能な連結をするのであり、該芯板１１は、一方向へ巻かれて組み立てられる鞘３の芯となることから、該鞘３の他方の端へ位置付けることが望ましく、該芯板１１は芯になることから、巻かれて組み立てられる鞘３の横幅よりも適宜に狭くして、縦長よりも短いサイズの形状にし、該芯板１１の他方の側辺は切り離された芯板側縁２７にすることが望ましく、該芯板１１の一方の側辺へ山折線である芯板側線１３を介して背板１４から延設されていることが望ましい。
【００１７】
芯板１１の縦軸辺りを部分的に切り込んで枠軸縁１５を形成し、該枠軸縁１５の上端から一方の斜め下横方向へ切り込んで穴天縁１６を形成し、実施例１では該穴天縁１６は芯板側線１３まで達していることが望ましく、該枠軸縁１５の下端から該芯板側線１３まで達する切り込みの一方の端と該穴天縁１６の一方の端とを繋ぐ該芯板側線１３の線上を切り込んで枠穴１２を切り抜いて形成することが実施例１では望ましい。該枠穴１２の下辺は限定形状ではなくて、適当な切線であっても良いが、略水平線が望ましい。
【００１８】
穴天縁１６は水平でも斜めであっても良いのであるが、水平線型は実施例２で後述することにし、本実施例１では斜め線型で図示する。該斜め線型の該穴天縁１６は扇ぎ葉２を折り畳まない開いた状態での基部線１０と同じ角度にすることが必須条件であり、該基部線１０の傾斜角度は限定ではなく、自由に角度を決めれば良く、一方の葉畳線４ａと他方の葉畳線４ｂとの交差する角度と略同じにすることが望ましく、本発明では略３５度で図示しているので、該基部線１０は略３５度の傾斜角度であることが望ましいので、穴天縁１６も同じ略３５度の傾斜角度にすることが望ましい。
【００１９】
枠軸縁１５は垂直な切線であっても良いが、該軸縁１５の上部は適宜に弧を描いた弧線１７にすることが望ましく、該弧線１７は他方の側へ少しだけ食み出した円周曲線であることから、該弧線１７が他方へ食み出した右側頂点と該軸縁１５の下端とを略直線で繋ぐことが望ましいので、該軸縁１５の上部は適宜に他方へ傾斜する切縁線になる。
【００２０】
舌片９の形状は限定ではなく、枠穴１２へ嵌り込んで抜け出ない形状であれば良い。具体的に述べるならば、支点８が枠穴１２の枠軸縁１５に略沿いながら滑り移動するので、該支点８よりも他方へ食み出す領域を広くすれば抜ける恐れは軽減され、該支点８の一方の横隣接線は基部線１０となって該舌片９を延設する折線と成り、該支点８の他方の横隣接線は切り離されている切込にすることが望ましい。
【００２１】
芯板１１の天縁は鞘３から食み出さないことが望ましく、湾曲線や直線であっても良いが、該天縁の他方を切り取って支え縁１８を形成することが望ましく、該支え縁１８は一方の葉畳線４ａと略同じ角度で傾斜させることが望ましく、後述するが、扇ぎ葉２をＺ状に折畳んだ状態での他方の葉畳線４ｂを該支え線１８が支える働きを成し、折畳まれた該扇ぎ葉２が一方へ倒れるのを軽減できる。
【００２２】
鞘３は一方向へ巻かれることで平筒状の鞘構造に成るのであり、該一方向は限定ではなくて他方へ巻いても良く、使用者が巻く方向を自由に変更できるのであるが、特許内容を明瞭に説明する目的から、鞘３を組み立てる巻き方向を一方へ巻くことにして述べることにする。
【００２３】
鞘３の展開状態では他方の端に位置する芯板１１を芯にして、該芯板１１の一方の側に延設されている複数の板を山折して一方を奥へ巻いて組み立てるのであり、組み立てられた該鞘３の形状は限定ではないが、天広がりの縦に細長い扇形状であることが望ましい。
【００２４】
他方の端に位置する芯板１１の一方の側辺へ山折線である芯板側線１３を介して背板１４を延設し、該背板１４の一方の側辺へ山折線である他方の鞘線１９ｂを介して前板２０を延設し、該前板２０の一方の側辺である一方の鞘線１９ａと該芯板側線１３とを連結して該鞘３は平筒状の鞘構造に成る。
【００２５】
一方の鞘線１９ａと芯板側線１３とを接着や接着テープによって連結固定しても良いが、差込によって固定する構造が望ましく、該差込固定の構造を述べるならば、前板２０の一方の側辺である一方の鞘線１９ａを山折線とし、該一方の鞘線１９ａを介して延長板２１を延設し、該延長板２１の一方の側辺へ山折線である差込折線２２を介して差込片２３を延設する。
【００２６】
背板１４の略中心軸上を部分的に切り込んで差込溝２４を形成し、該差込溝２４へ差込片２３を差し込むことで一方の鞘線１９ａと芯板側線１３とが連結して鞘３は平筒状の鞘構造に組み立てられて固定される。
【００２７】
鞘３を差込固定で組み立てるならば、最後に差し込まれる差込片２３の特に上部が抜き出る恐れがあり、該差込片２３の上端へ突起２５を適宜な大きさで突出させることが望ましく、該突起２５が差込溝２４の上端で塞き止められるので、扇ぎ葉２を折り畳んだり伸ばしたりする開閉作業を行っても、該差込片２３が該差込溝２４から抜け出るのを防止できる。
【００２８】
突起２５を形成すれば、差込片２３を差込溝２４へ差し込みにくくなるので、一方の鞘線１９ａの略上端と差込折線２２の略下端とを結ぶ山折線で対角折線２６を設けることが望ましく、該対角折線２６を山折することで一方の鞘線１９ａの上端が中心点となって該差込片２３の下端が弧を描いて移動するので、該突起２５は弧を描いて回り込む状態で該差込溝２４の上端へ差し込まれる構造になる。
【００２９】
鞘３の組み立てられた外形と略同形状の前板２０は縦長扇形を成しており、該前板２０と該背板１４との軸線上に山折線を入れることが望ましく、該軸線上の山折線を軸折線２８とし、該前板２０の面に有する方を一方の軸折線２８ａとし、該背板１４の面に有する方を他方の軸折線２８ｂとする。平筒状になった鞘３に連結された扇ぎ葉２を折り畳む時に中央の反転室６の表裏を反転し、該反転時に平筒状の鞘３の中央が押し上げられるが、軸折線２８の双方を設けたことで、該反転室６の反転がスムーズに行える。
【００３０】
図２は扇ぎ葉開き状態鞘連結の正面斜視図である。基部線１０を谷折することで正面から上へ折り返された状態の舌片９を、芯板１１の背方から穴天縁１６の下を潜らせて、枠穴１２の正面へ突き出すことで、穴天縁１６を基部線１０で挟み込んだ状態で扇ぎ葉２と鞘３が連結される。
【００３１】
折り畳み前の状態である開き状態の扇ぎ葉２では、穴天縁１６と基部線１０が同じ角度で傾斜しているので両者は線の範囲で接し合う線接合の連結になっている。
【００３２】
穴天縁１６は他方である右が上がった右肩上がりで傾斜しており、扇ぎ葉２を真上へ引き上げると基部線１０は該穴天縁１６の右端まで達した状態で止まり、該基部線１０の右端は支点８と略接した位置関係であり、該支点８は該穴天縁１６の右端と略接した状態で留まって固定される。
【００３３】
扇ぎ葉２の折り畳みは、一方の葉畳線４ａを谷折し、他方の葉畳線４ｂを山折することで、中央の反転室６は真上から見た状態で右へ回って反転することで折り畳まれて閉じ状態になる。
【００３４】
反転室６は略水平に回って反転するので、左側の基室５は右へ傾いて該反転室６の背面へ重なり、右側の動室７は左へ傾いて該反転室６の正面へ重なる。
【００３５】
基室５は右へ傾くので、該基室５の下端に基部線１０を介して延設されて折り上げられた舌片９は右へ略３５度回転し、該舌片９の回転は該基部線１０の左端を中心にした弧を該基部線１０の右端が描いて回るのであり、枠軸縁１５の上部が弧縁１７になっているので、該基部線１０の右端の円周移動を妨げない。
【００３６】
図３は扇ぎ葉閉じ状態鞘連結の正面斜視図である。葉畳線４で区分された基室５と反転室６と動室７の三室は、下端の支点８を中心にして反転も含めた回転移動をするのであり、扇ぎ葉２中央の反転室６を真上から見た状態で右へ回転して反転させたことで、左の基室５の上部は右へ回転移動して該反転室６の背方へ重なり、右の動室７の上部は左へ回転移動して該反転室６の正面方へ重なって、該扇ぎ葉２は折り畳まれて閉じ状態になる。
【００３７】
基室５の上部が右へ回転移動したことで、下端の基部線１０を袋折して上へ折り返された舌片９は右へ回転し、該舌片９が右へ回転したことで該基部線１０は略水平な状態になるように角度を調節されている。
【００３８】
舌片９の回転角度は限定ではないが、葉畳線４どうしが交差する角度である３５度辺りであることが望ましく、基部線１０は右へ略３５度回転させることで略水平な状態で留まる。
【００３９】
基部線１０を水平に保つことで、折り畳まれた扇ぎ葉２の軸は略垂直な状態を保ちやすくなるが、該基部線１０は穴天縁１６へ沿う方向である左へ傾こうとする。芯板１１の天縁から垂直に近い右斜め下へ切り込んで支え縁１８を設けることが望ましく、該支え縁１８が他方の葉畳線４ｂに沿った状態で塞き止めるので、折り畳まれた該扇ぎ葉２の左傾を防止できる。
【００４０】
支え縁１８は垂直な切込であっても良いが、葉畳線４と略同じ角度である１０８度程度の傾きであることが望ましく、該支え縁１８は切込だけであっても良いが、該支え縁１８から右の領域を切り取ることが望ましい。
【００４１】
図４は扇ぎ葉閉じ状態鞘連結芯板側線袋折の正面斜視図である。鞘３は芯板１１を芯にして、該芯板１１の一方の側である左側の芯板側線１３を山折にして背板１４を背方へ折り返して巻き始めるのであり、次に他方の鞘折線１９ｂを背方から見て山折することで前板２０は正面へ折り返され、該背板１４と該前板２０とで該芯板１１は挟み込まれて、該鞘３は平筒状態の鞘形状に組み立てられる。
【００４２】
基部線１０が水平な状態で反転室６が反転することで扇ぎ葉２は開閉するのであり、該反転室６が反転する際に背板１４と前板２０との各中央領域を外へ押し出す圧力が加わるが、双方の板軸線上に軸折線２８を入れたことで、該軸折線２８が該外へ押し出す圧力を屈折によって逃がすので、該反転室６の反転作業をスムーズに行える。
【００４３】
図５は扇ぎ葉閉じ状態鞘連結の要部透視正面斜視図である。透視線は破線で表示し、折線は一点鎖線で表示するが、透視状態になった場合は破線で表示し、透視箇所を指示する引き出し線は最先端だけを一点の飛び線にして一つの面を透視していることを表示する。一層だけを透視することにし、二層より奥は透視せずに図示する。透視図は要部だけを透視するのであって、要部でない箇所は透視を省くこともあり、基室５の一方の縁の下部縁は透視線となる破線を省いて図示している。前板２０及び背板１４の軸線上には軸折線２８が有しているが、透視された差込溝２４と重なることから、該軸折線２８の双方共に省いて図示する。
【００４４】
他方の鞘折線１９ｂを山折することで正面へ折り返された前板２０と背面に位置する背板１４とで芯板１１を挟み込んで鞘３は平筒状に組み立てられるのであり、芯板側線１３と一方の鞘線１９ａとを連結すれば該鞘３の組立は完了する。
【００４５】
芯板側線１３と一方の鞘線１９ａとの連結は、接着テープなどで直接接着しても良いが、一方の鞘線１９を介して延長板２１を延設し、該延長板２１の一方の側縁に差込折線２２を介して差込片２３を延設し、該一方の鞘線１９ａを山折して背方へ折り返された延長板２１を該背板１４の背方へ重なった状態で、該背板１４の軸線上を部分的に切り込んで形成した差込溝２４へ該差込片２３を差し込んで固定する構造であることが望ましい。
【００４６】
反転室６の反転時には、前後で挟み込んだ位置関係にある前板２０と背板１４との上部領域が鞘３の内部から外へ押し出そうとする内部圧力が加わるので、該内部圧力によって差込片２３の特に上端が抜け出る恐れが生じる。
【００４７】
差込片２３の天端領域を適宜に突出させて突起２５を形成して、該差込片２３を差込溝２４へ差し込むと、上記の内部圧力が加わっても該突起２５が該差込溝２４の上端に引っ掛かるので、該差込片２３が抜け出るのを防止できる。
【００４８】
突起２５を設けたことで抜け出るのを防止できるようにはなったが、差込溝２４と重なり合う差込折線２２だけでは差込片２３が水平に移動するだけなので、該突起２５が該差込溝２４の上端とぶつかり合うので、該差込片２３の差し込み作業に支障をきたす。
【００４９】
一方の鞘線１９ａの略上端と差込折線２２の略下端とを直線で橋渡しする折線で対角折線２６を設け、該対角折線２６が山折されることで該差込折線２２の特に下端が弧を描いて円周移動し、該差込折線２２の下端が円周移動することで突起２５は差込溝２４の上端を回り込んで該差込溝へ差し込まれる。
【００５０】
鞘３の形状は前板２０の形状によって決められるのであり、該前板２０の形状は限定ではないが、天地に細長い天広がりの扇形状にすることが望ましい。
【００５１】
上へ折り返された舌片９は前板２０と背板１４とで前後から挟み込まれているので、該舌片９の折り返された状態は維持された状態で滑り移動できるのであり、該舌片９の滑り移動は、基部線１０が枠穴１２から出ない範囲内だけで滑り移動できるのであり、無理な力を加えなければ該基部線１０の略右端に位置する支点８が枠軸縁１５に沿って上下に移動するだけである。
【００５２】
折り返された舌片９の右側領域は枠軸縁１５よりも右側へ食み出した状態を常に維持できる大きさにしており、該舌片９を左端へ移動させても一方の鞘線１９ａが袋折されているので、該一方の鞘線１９ａよりも左へ食み出す事はできないので、該舌片９が枠穴１２から背方へ抜け出ることは不可能な構造になっている。
【００５３】
折り畳まれた扇ぎ葉２を最下部まで滑り移動させると、折り畳まれた扇ぎ葉２の両側縁が鞘３の上両横角領域で塞き止められて固定されると同時に、枠穴１２の下端縁と基部線１０とが略同寸であることから、枠軸縁１５の下端と一方の鞘線１９ａとの間に該基部線１０の両端が挟まれて固定されるので、折り畳まれた該扇ぎ葉２を鞘３へ収納した時の収まり固定が安定する。
【００５４】
図６は扇ぎ葉開き状態鞘連結の要部透視正面斜視図である。図５で示したように折り畳んだ状態の扇ぎ葉２を摘まみ上げると、斜縁である穴天縁１６に基部線１０の左端が点の範囲で接して塞き止められ、該塞き止められた状態の該基部線１０の左端を中心にした円周移動で舌片９は左へ傾斜する。
【００５５】
該基部線１０の左端が該円周移動の中心点になることから、該基部線１０の右端が弧を描く円周移動をするのであり、枠軸線１５の上部が弧縁１７になっているので、該基部線１０の右端が弧を描く円周移動の作業の妨げを回避している。
【００５６】
該舌片９が左へ傾斜したことで、基部線１０を介して連接している基室５が左へ傾斜すると同時に、右端の動室７を右へ引いて傾斜させることで、中央の反転室６は真上から見た状態で左へ回転して反転し、該反転室６が左へ反転したことで扇ぎ葉２の折り畳みは解除されて開き状態になる。
【００５７】
開き状態になった該扇ぎ葉２の下部の両端縁は幅広のＶ字縁になっており、該Ｖ字縁が鞘３の上部両横角である鞘線１９双方の上端に乗っかった状態で固定されているので、開き状態になった該扇ぎ葉２は鞘３の中へ落ち込まない。
【００５８】
開くことで最上部まで達して固定される該扇ぎ葉２の基部線１０は、右上がり傾斜の穴天縁１６の右端の角で塞き止められているので、該扇ぎ葉２を扇ぎ使用しても鞘３から抜け出ない構造を実現できる。
【００５９】
基部線１０が袋折されて舌片９は上へ折り返されているので、穴天縁１６を該基部線１０が挟み込んだ状態で接しているので、該穴天縁１６と該基部線１０は線の範囲で接することになる。
【００６０】
該扇ぎ葉２を開いて扇ぎ使用すると、該扇ぎ使用の揺れの影響で鞘３から抜け出ようとする負荷が該基部線１０に掛かるが、該基部線１０は線の範囲で接しているので、接している線全体に負荷を分散できるので、該基部線１０が切れる恐れは軽減する。
【００６１】
該基部線１０を袋折しなくても該舌片９を枠穴１２の枠軸縁１５へ引っ掛けて連結することは可能であるが、該基部線１０の右端へ点の範囲で部分的に負荷が掛かるので、該基部線１０は切れる恐れが増加するので、該基部線１０を袋折して該舌片９を上へ折り返す構造での連結が望ましい。
【実施例２】
【００６２】
図７は展開状態の正面図である。扇ぎ葉２を開いた状態を基準にして述べるならば、実施例１での基部線１０は傾斜していたけど、該基部線１０は水平であっても良く、該基部線１０を水平にした場合の展開図を実施例２として説明する。
【００６３】
該基部線１０を水平にすると、枠穴１２は四辺を直線にした単純な四角形にできるのであり、実施例１で必要とした弧縁１７は不要となるので、枠軸縁１５は芯板１１の軸線上と略同じ線上の垂直縁で設けても良い。
【００６４】
該枠軸縁１５を垂直縁にできる理由を述べるならば、袋折された基部線１０で挟み込む穴天縁１６が水平なので該基部線１０は左へ滑り移動しやすい構造となっているからであり、該枠軸縁１５の上部を実施例１で図示した弧縁１７にする必要がなくなる。
【００６５】
舌片９の形状も実施例１とは大きく異なり、該舌片１０の右側の領域を支点８から右側へ少しだけ食み出すだけで良くなり、実施例１の図１で図示していた該支点８から右斜め上への切込は不要となる。
【００６６】
該基部線１０を水平にすれば、舌片９を差し込んで連結する枠穴１２の形状が単純になる利点はあるが、扇ぎ葉２をＺ状に折り畳むと、該基部線１０は右下がりの傾斜線となり、該右下がりの基部線１０は水平な穴天縁１６へ沿う方向へ回転移動するので、該扇ぎ葉２は左へ傾斜して折り畳まれる。
【００６７】
該扇ぎ葉２が左へ傾斜して折り畳まれても、指で摘んで垂直な位置へ戻すことは簡単ではあるが、折り畳む度に指で戻す作業は煩わしいもので、実施例１で図示す右上がりの傾斜した基部線１０にすることで、左傾きを軽減できる構造にした。
【実施例３】
【００６８】
図８は展開状態の正面図である。一方と他方の葉畳線４の交点が支点８であるが、反転室６の下部を途中で切り取って図示しているので、該葉畳線４の延長線の交差部分だけで図示して該支点８の場所を表示している。
【００６９】
本実施例３では、特許文献２である特許第５６６７２３７号の図４の扇ぎ葉の技術を応用している。本発明では鞘連結扇子の連結構造が特許請求の範囲なので、該連結構造が全く異なっているので該特許文献２には抵触しない。動室７を左右線対称の位置関係で二枚の対で設けているので、該動室７を動かす役目の反転室６も二枚の対で設け、基室５は一枚だけ設けて扇ぎ葉２の略中心部に位置させる。
【００７０】
左右線対称の対では、右側を元として一方の方向である左側を対とするのであり、対の場合は符号の後ろである右端に´を付けることで区別を容易にする。
【００７１】
扇ぎ葉２の略中心部に位置する基室５の右側へ元で一方の葉畳線４ａを介して元の反転室６を設け、該反転室６の右側へ元で他方の葉畳線４ｂを介して元の動室７を延設する。
【００７２】
左右線対称の対となる側は一方が右側となり他方が左側となる。扇ぎ葉２の略中心部に位置する基室５の左側へ対で一方の葉畳線４ａ´を介して対の反転室６´を設け、該対の反転室６´の左側へ対で他方の葉畳線４ｂ´を介して対の動室７´を延設する
【００７３】
該扇ぎ葉２の組立順序は、対で一方の葉畳線４ａ´を谷折して対の動室７´を正面へ折り返し、一方の葉畳線４ａを山折して元の動室７を背面へ折り返して、該扇ぎ葉２は開き状態になる。
【００７４】
元と対の動室７の双方の上部領域を基室５方向へ適宜に湾出させて重合域２９を形成し、該重合域２９の下端部を葉固定部３０とする。元の重合域２９と対の重合域２９´との重なり順を正面と背面とで入れ替えると、元の葉固定部３０と対の葉固定部３０´とが組み合って、該扇ぎ葉２の開き状態を固定できる。
【００７５】
該葉固定部３０どうしの固定を解除し、該一方の葉畳線４ａの元と対の双方の袋折を解除し、他方の葉畳線４ｂの元と対の双方を袋折することで反転室６の元と対の双方は反転するので、該扇ぎ葉２は閉じ状態になる。
【００７６】
該扇ぎ葉２の略中心に位置する基室５の下端へ略水平な基部線１０を介して舌片９を延設する。該舌片９と該基室５との境界線全てを折線にして該基部線１０としても良いが、該境界線の略半分までは他方である右側を切り離して残り半分を折線にして該基部線１０としても良く、該残り半分を折線にして該基部線１０とした状態の物を代表として図示しており、該基部線１０を該境界線の半分までの長さにしたことで、鞘３の芯板１１に形成される芯穴１２の横幅を半分にすることができ、該芯穴１２の右側領域を多く残すことができ、該右側領域が多く残っていることで該芯板１１の強度を保つことができる。
【００７７】
閉じ状態の該扇ぎ葉２で、基部線１０を谷折して正面から上へ折り返された舌片９を芯板１１に開けられた芯穴１２へ差し込むことで、該扇ぎ葉２と鞘３は連結される。
【００７８】
該芯板１１を芯にして、該芯板１１の一方に山折線を介して延設されている背板１４と前板２０とを真上から見た状態で右へ巻くことで鞘３は平らな筒に成り、差込片２３を背板１４の中心部に切り込まれた差込溝２４へ差し込むことで、該鞘３の平らな筒形状が固定されるのは、上記の実施例１、２と同じ構造である。
【実施例４】
【００７９】
図９は展開状態の正面図である。本実施例４では、特許文献３である特許第５８３０７７３号の図６の扇ぎ葉の技術を応用している。本発明では鞘連結扇子の連結構造が特許請求の範囲なので、該連結構造が全く異なっているので該特許文献３には抵触しない。実施例４とする目的は、該文献３では軸板線を介して扇ぎ葉と鞘具とが連結している構造であるので、該扇ぎ葉を強く引き抜こうとすれば、該軸板線の部分で切断する恐れがあったので、その問題を解決したいからである。
【００８０】
図９の扇ぎ葉２の略中心部に基室５を位置づけ、該基室５は裾広がりの扇形状にし、天地に細長い台形であっても良いが、天地に細長い略二等辺三角形で図示する。該基室５を共有の境界領域として右側領域を元にし、左側領域を線対称の対とする領域にして、符号の後ろである右に´を付けて対であることを表示する。
【００８１】
該基室５の右側へ元で一方の葉畳線４ａを介して元の反転室６を延設し、該元の反転室６の右側へ元で他方の葉畳線４ｂを介して元の動室７を延設する。該基室５の左側へ対で一方の葉畳線４ａ´を介して対の反転室６´を延設し、該対の反転室６´の左側へ対で他方の葉畳線４ｂ´を介して対の動室７´を延設する。
【００８２】
該扇ぎ葉２に区分された室を左から順に述べるならば、対の動室７´、対の反転室６´、基室５、元の反転室６、元の動室７となり、該扇ぎ葉２は前記の五室に区分されている。
【００８３】
該基室５の下端へ基部線１０を介して舌片９を延設する。該基部線１０は該基室５の下辺全域を折線にして該基部線１０としても良いが、該基室５の下辺の略中央から右端までを切り離す右半分切込にし、残りの左半分を折線にして該基部線１０としても良い。後者の左半分を折線にした基部線１０を代表として図示する。該基部線１０と該右半分切込は段差を設けて図示しているが、該段差は境界部分を解り易く図示するのが目的で、実際の製品化では段差をなくしている場合もある。
【００８４】
該扇ぎ葉２は五室に区分されているので、一番横幅が広くなる動室７の横幅を狭くできるので、該扇ぎ葉２は細く折り畳むことができることから、平らな筒状に巻かれた鞘３の中での上下移動範囲が長くなり、芯板１１に形成される芯穴１２の天地の長さが長くなり、該鞘３の下端近くまで切り抜く必要が生じる。
【００８５】
該鞘３の組み立てられた形状は前板２０と略同じで、下へ行くに連れて狭まる縦長の扇形の平らな筒形状である。芯として巻かれる芯板１１の形状も下狭まりの扇形を成しているので、縦長矩形の芯穴１２が天地に長くなると、該芯穴の下角が該芯板１１の横辺に近くなり、場合によっては該横辺に接する恐れも生じる。
【００８６】
基部線１０の長さを基室５の下辺の左側略半分にしたことで、該芯穴１２の横幅を略半分に減らすことが可能になり、該芯穴１２は穴軸縁１５から左側領域だけを切り取っているので、該芯板１１の他方の縁である芯板側縁２７と該穴軸縁１５との領域を広くすることができるので、該芯板１１が折れ曲がりにくく破れにくくなるための強度を保つことができる。該芯穴１２の左下角は芯板側線１３に近付くが、該芯板側線１３は折線であるので、該芯板１１の強度は弱くならない。
【００８７】
鞘３の形状で、該芯穴１２の形状が下へ長く伸びたこと以外は実施例３と同じで良く、該芯板１１の一方である左側に位置する芯板側線１３を介しての左延設領域は実施例１と２と３と略同じ形状にして、組立構造も同じにする。
【００８８】
実施例１と２では軸折線２８を入れていたが、実施例３と４では支点８が左右二箇所に分散しているので、前板２０と背板１４を押し曲げようとする負荷が少ないので、該軸折線２８を削除しても良い。
【００８９】
扇ぎ葉２は四本有している葉畳線４の折り曲げで折り畳まれる構造になっており、該葉畳線４の折り曲げ方向は使用者が変更できるので限定ではないが、特許内容を明瞭にする目的から具体的に述べるならば、反転室６を挟む一方の葉畳線４ａと他方の葉畳線４ｂとの折り曲げ方向を逆にすれば該反転室６は反転できる構造になる。
【００９０】
右側に位置する元の領域では実施例１と２と同じで、元で一方の葉畳線４ａを谷折して、元で他方の葉畳線４ｂを山折すれば、元の反転室６は真上から見た状態で右へ回転して反転する。
【００９１】
左側に位置する対の領域は該右側に位置する元の領域と線対称の形状ではあるが、折り曲げ方向は扇ぎ葉２を真上から見た状態で基室５の頂点を中心点とする点対称であることが望ましく、対で一方の葉畳線４ａ´を山折して、対で他方の葉畳線４ｂ´を谷折すれば、対の反転室６は真上から見た状態で右へ回転して反転する。
【産業上の利用可能性】
【００９２】
本発明は、扇ぎ葉の葉畳線を削除して、折り畳みのできない紙ウチワとして使用することもできる。
【符号の説明】
【００９３】
１              本体
２              扇ぎ葉
３              鞘
４ａ、４ｂ      葉畳線
５              基室
６              反転室
７              動室
８              支点
９              舌片
１０            基部線
１１            芯板
１２            枠穴
１３            芯板側線
１４            背板
１５            枠軸縁
１６            穴天縁
１７            弧縁
１８            支え縁
１９ａ、１９ｂ  鞘線
２０            前板
【図１】
2017108955.tif 000003
【図２】
2017108955.tif 000004
【図３】
2017108955.tif 000005
【図４】
2017108955.tif 000006
【図５】
2017108955.tif 000007
【図６】
2017108955.tif 000008
【図７】
2017108955.tif 000009
【図８】
2017108955.tif 000010
【図９】
2017108955.tif 000011
【手続補正書】
【提出日】平成29年1月18日(2017.1.18)
【手続補正１】
【補正対象書類名】特許請求の範囲
【補正対象項目名】全文
【補正方法】変更
【補正の内容】
【特許請求の範囲】
【請求項１】
扇ぎ葉と鞘を設け、該扇ぎ葉の下端部に基部線を介して舌片を延設し、該基部線を袋折して折り返された該舌片を枠穴へ差し込んで該扇ぎ葉と鞘とを連結し、該枠穴の枠軸縁の上端から横方向へ切り込んで穴天縁を設け、該穴天縁と該基部線とが線状で略接した状態で該扇ぎ葉が鞘上部で連結されることを特徴とする鞘連結扇子の連結構造。
【請求項２】
扇ぎ葉の三つの室を一方から基室、反転室、動室とし、該基室の下辺を基部線としたことを特徴とする請求項１記載の鞘連結扇子の連結構造。
【請求項３】
鞘は枠穴を設けた芯板を芯にして、芯板側線と一方の鞘線とを連結することで該鞘を平筒状の鞘構造にしたことを特徴とする請求項１または請求項２記載の鞘連結扇子の連結構造。